(57)【要約】【課題】  マイクが受信した信号の品質を向上させる改善アプローチの一部として、複数のマイクロホン（以下、マイクと称する）のシステムを採用する電話通信用携帯装置の形態の装置を提供する。【解決手段】  本発明の電話通信用携帯装置は、複数のマイクを有する。２個のマイクを有する構成においては、第１のマイクは適宜の場所に配置され、第２のマイクは十分に低いＳ／Ｎ比を提供し、その受信の障害とはならない場所に配置される。【選択図】      図１
2005318617.tif 000002
【特許請求の範囲】
【請求項１】
電話通信用携帯装置において、
前記携帯装置は、携帯装置上の従来のマイクの位置に配置された第１マイクと、前記第１マイクとは異なる位置に配置された第２マイクとを含む複数マイクシステムを有し、
前記第２マイクは、第１マイクから十分に離れ、第１マイクよりも低いＳ／Ｎ比を提供し、
前記第２マイクは、ユーザが装置を通常つかんだ時に第２マイクの受信の障害とはならない場所に配置され、
これにより受信した複数のマイク信号の関係を維持することを特徴とする携帯装置。
【請求項２】
前記携帯装置は、２個のマイクを有することを特徴とする請求項１記載の携帯装置。
【請求項３】
前記携帯装置は、携帯電話であることを特徴とする請求項１記載の携帯装置。
【請求項４】
前記携帯装置は、さらにアンテナロッドを有し、
前記第２マイクは、前記アンテナロッドの近傍に配置されることを特徴とする請求項１記載の携帯装置。
【請求項５】
前記第２マイクは、前記アンテナロッドのごく近傍に配置され、
前記アンテナロッドと第２マイクが近接することにより、ユーザが携帯装置をつかんだ時に偶発的に第２マイクをカバーしないようにすることを特徴とする請求項４記載の携帯装置。
【請求項６】
電話通信用携帯装置に提供する方法おいて、
前記携帯装置は、携帯装置上の従来のマイクの位置に配置された第１マイクと、前記第１マイクとは異なる位置に配置された第２マイクとを含む複数マイクシステムを有し、
前記第２マイクは、第１マイクから十分に離れ、第１マイクよりも低いＳ／Ｎ比を提供し、
前記第２マイクは、ユーザが装置を通常つかんだ時に第２マイクの受信の障害とはならない場所に配置され、
これにより受信した複数のマイク信号の関係を維持することを特徴とする電話通信用携帯装置の提供方法。
【請求項７】
前記携帯装置は、２個のマイクを有することを特徴とする請求項６記載の方法。
【請求項８】
前記携帯装置は、携帯電話であることを特徴とする請求項６記載の方法。
【請求項９】
前記携帯装置は、さらにアンテナロッドを有し、
前記第２マイクは、前記アンテナロッドの近傍に配置されることを特徴とする請求項６記載の方法。
【請求項１０】
前記第２マイクは、前記アンテナロッドのごく近傍に配置され、
前記アンテナロッドと第２マイクが近接することにより、ユーザが携帯装置をつかんだ時に偶発的に第２マイクをカバーしないようにすることを特徴とする請求項９記載の方法。
【発明の詳細な説明】
【技術分野】
【０００１】
本発明は、携帯装置に関し、特に、携帯電話のような携帯用電話通信装置に関する。
【背景技術】
【０００２】
携帯電話は、広く用いられるようになっている。そして、どのような電話通信システムにおいても、信号の品質は重要である。多くのアプローチを用いて信号品質を向上させている。
【０００３】
信号品質は、あらゆる電話通信システムで重要な関心事であるために、信号品質を向上させるような改善アプローチが必要である。
【発明の開示】
【発明が解決しようとする課題】
【０００４】
本発明の目的は、マイクが受信した信号の品質を向上させる改善アプローチの一部として、複数のマイクロホン（以下、マイクと称する）のシステムを採用する電話通信用携帯装置の形態の装置を提供することである。
【０００５】
本発明は、複数のマイクを有する携帯用電話通信装置（例えば、携帯電話または他の携帯用電話装置）の電話通信システムで用いられるアプローチを含む。第１のマイクを携帯装置の従来のマイクの配置場所に配置し、一方、第２のマイクをそれとは異なる位置に配置する。
【課題を解決するための手段】
【０００６】
本発明の重要な態様は、第２のマイクを効果的に配置することである。より詳細には、第２のマイクは、ユーザが携帯装置を通常つかむことにより第２のマイクの受信を妨害することのないような位置に配置する。複数の場所がこの要件を満たし、その可能性のある場所は、装置のサイズおよび形状および通話中の使用者が電話をつかむ位置によって装置ごとに異なる。同時に、第２のマイクの配置場所は、第１のマイクから十分離れた場所で、第１のマイク（通常従来の場所に配置される）よりも低い信号対ノイズ比（S／N比）を提供する。
【０００７】
これらの要件を満たすために、第２のマイクの配置場所は、第１のマイクよりも大幅に低いＳ／Ｎ比を有する信号を提供し、且つ受信した信号は、信号同士の関係を保持するように妨害されないものである。かくして、本発明はある物理的特性を有する複数のマイクを具備した携帯用電話通信装置を提供する。
【０００８】
本発明の一実施例は、複数個のマイクを具備した携帯用装置であり、第１のマイクの位置と第２のマイクの位置との間には特別な関係がある。さらに、本発明の実施例は、２個のマイクに限定されるものではない。
【実施例】
【０００９】
図１，２を参照すると、本発明の携帯電話通信装置が携帯電話１０として示されている。携帯電話１０は、本体１２を有し、現在の携帯電話の構成部品を有している。第１マイク１４が、携帯電話１０上の従来のマイクを配置すべき場所に配置されている。第２マイク１６がアンテナロッド１８の近傍に配置されている。
【００１０】
これらのマイクの配置場所は、第１のマイク信号よりも大幅に低いＳ／Ｎ比を有する第２のマイク信号を提供するような２つの位置の間に特別な関係を具備し、且つ第２マイク１６の信号が、過度に障害を受けることなく、信号間の関係を維持するような複数のマイクの配置を表している。
【００１１】
ここに示した実施例においては、第２マイク１６は、通話中にユーザが携帯電話１０を通常につかむことによっては、全部は邪魔されることはない。
【００１２】
図１，２に示す実施例においては、第２マイクの配置場所は、利点のある場所内である。第１マイク１４は、通常単一のマイクの携帯電話の単一マイクとほぼ同じ場所に配置される。しかし、第２マイク１６は、大きな障害なしに、十分に低いＳ／Ｎ比の信号を提供しなければならない。好ましい実施例においては、第２マイク１６を携帯電話１０のアンテナロッド１８のごく近傍に配置することにより、これらの要件を満たすことができる。
【００１３】
この特定の配列においては、第２マイク１６にアンテナロッド１８が近づけることにより、使用者の指が第２マイク１６を偶発的にカバーすることはない。さらに、第２マイク１６と第１マイク１４との間の距離は、異なるＳ／Ｎ比を提供するのに十分となる程度離れている。
【００１４】
本発明の実施例は、ある物理的特性および第１と第２のマイクの間の特別な関係を具備した携帯用電話通信システムを提供する。さらに本発明の実施例は、２個のマイクに限定されるものではない。
【００１５】
本発明は、電話通信用携帯装置上に第１と第２のマイクの位置の間に特別な関係を含み、本発明の実施と実施例は、装置の他の態様の特定の配列に限定されるものではない。
【００１６】
以上の説明は、本発明の一実施例に関するもので、この技術分野の当業者であれば、本発明の種々の変形例を考え得るが、それらはいずれも本発明の技術的範囲に包含される。本明細書で使用される用語は、限定的なものではなく、本発明の精神を離れることなくさまざまな変更が可能である。
【図面の簡単な説明】
【００１７】
【図１】必要とされる信号を提供するように配置された２個のマイクを具備した本発明の一実施例の携帯電話の背面斜視図。
【図２】必要とされる信号を提供するように配置された２個のマイクを具備した本発明の一実施例の携帯電話の正面斜視図。
【符号の説明】
【００１８】
１０  携帯電話
１２  本体
１４  第１マイク
１６  第２マイク
１８  アンテナロッド
【図１】
2005318617.tif 000003
【図２】
2005318617.tif 000004